(57)【特許請求の範囲】
【請求項１】
印加された電気信号により振動が生じる圧電体と、該圧電体に密着して該振動を音響に変換するための圧電振動板とを備える圧電スピーカにおいて、任意形状に分割された該圧電振動板が、該圧電体を介して連結されており、該分割された複数の圧電振動板のそれぞれの弾性率が異なることを特徴とする圧電スピーカ。
【請求項２】
前記圧電振動板が、前記圧電体の振動の中心付近から外周に向かって放射状に分割されていることを特徴とする請求項１記載の圧電スピーカ。
【請求項３】
印加された電気信号により振動が生じる圧電体と、該圧電体に密着して該振動を音響に変換するための圧電振動板とを備える圧電スピーカにおいて、該圧電振動板が、該圧電体の振動の中心付近から外周にまで伸びる分割溝を備えており、該圧電振動板の弾性率が異なることを特徴とする圧電スピーカ。
【請求項４】
前記圧電振動板の振動の中心を基にして、該圧電振動板の外周が偏心していることを特徴とする請求項１〜請求項３記載の圧電スピーカ。
【請求項５】
前記圧電振動板の外周が、複数の真円円弧により形成されていることを特徴とする請求項１〜請求項４記載の圧電スピーカ。
【請求項６】
前記圧電振動板の外周が、少なくとも１つの偏心円弧により形成されていることを特徴とする請求項１〜請求項４記載の圧電スピーカ。
【請求項７】
前記圧電振動板の外周が、少なくとも１つの真円円弧と、少なくとも１つの偏心円弧とにより形成されていることを特徴とする請求項１〜請求項４記載の圧電スピーカ。
【請求項８】
前記圧電振動板の外周が、少なくとも１つの多角形により形成されていることを特徴とする請求項１〜請求項４記載の圧電スピーカ。
【請求項９】
前記圧電振動板の外周が、少なくとも１つの真円円弧と、少なくとも１つの多角形とにより形成されていることを特徴とする請求項１〜請求項４記載の圧電スピーカ。
【請求項１０】
前記圧電振動板の外周が、少なくとも１つの偏心円弧と、少なくとも１つの多角形とにより形成されていることを特徴とする請求項１〜請求項４記載の圧電スピーカ。
【請求項１１】
前記圧電振動板の外周が、径が徐々に増加し最長径端と最短径端とが所定の俯角を有する偏心円弧と、該最長径端と該最短径端とを連結する補助可動領域とにより形成されていることを特徴とする請求項１〜請求項４記載の圧電スピーカ。
【請求項１２】
前記圧電体の振動の中心と前記圧電振動板の中心とが、離間していることを特徴とする請求項１〜請求項１１記載の圧電スピーカ。
【請求項１３】
前記圧電振動板の分割された外周片ごとに支持板を備え、該支持板を介して該圧電振動板を筐体に保持することを特徴とする請求項１〜請求項１２記載の圧電スピーカ。
【請求項１４】
前記圧電体と前記圧電振動板との間に、振動伝搬性及び所定の剛性を有し前記圧電体と略同形状の補強板を備えることを特徴とする請求項１〜請求項１３記載の圧電スピーカ。
【請求項１５】
前記補強板が、前記圧電体の振動の中心付近から外周にまで伸びる分割溝を備えることを特徴とする請求項３〜請求項１３記載の圧電スピーカ。
【発明の詳細な説明】
【０００１】
【発明の属する技術分野】
本発明は、圧電体を用いた圧電スピーカに関する。
【０００２】
【従来の技術】
従来の圧電スピーカは、図１０に示すように、真円で印加された電気信号により振動が生じる圧電体４１と、真円で圧電体４１に密着して該振動を音響に変換するための圧電振動板４２とを備えている。そして、圧電体４１の振動の中心と圧電振動板４２の中心とが同一になるように、それぞれが張り合わされている。
【０００３】
【発明が解決しようとする課題】
しかしながら、従来の圧電スピーカ４０では、圧電振動板４２は振動はするものの伸び縮みしない金属性の板材で作られていため、振動時に圧電振動板４２の一部にシワ等の歪み生じて振動しない部分が存在してしまい、広帯域で均一な音圧を確保することは困難である。
【０００４】
また、圧電振動板４２の径が一定であることから、大音量の信号を印加すると圧電振動板４２の歪みが一気に生じ、音が壊れて明瞭な再生が困難となる。また、共振点の数が限られることから、この共振点に相応する特定の周波数においては音圧が著しく増大したり低下したりしてしまう。
【０００５】
本発明は、このような事情に鑑みてなされたもので、広帯域で均一な音圧を確保することが可能で、大音響の信号の再生が容易な圧電スピーカを提供することにある。
【０００６】
【課題を解決するための手段】
請求項１記載の圧電スピーカは、印加された電気信号により振動が生じる圧電体と、圧電体に密着して振動を音響に変換するための圧電振動板とを備える圧電スピーカにおいて、任意形状に分割された圧電振動板が、圧電体を介して連結されており、該分割された複数の圧電振動板のそれぞれの弾性率が異なることを特徴とする。尚、弾性率とは縦弾性係数（ヤング率）であり、弾性率が大きいほど伝搬可能な周波数（共振点）が高い。
【０００７】
請求項２記載の圧電スピーカは、圧電振動板が圧電体の振動の中心付近から外周に向かって放射状に分割されていることを特徴とする。
【０００８】
請求項３記載の圧電スピーカは、印加された電気信号により振動が生じる圧電体と、圧電体に密着して振動を音響に変換するための圧電振動板とを備える圧電スピーカにおいて、圧電振動板が、圧電体の振動の中心付近から外周にまで伸びる分割溝を備えており、該圧電振動板の弾性率が異なることを特徴とする。
【０００９】
請求項４記載の圧電スピーカは、圧電振動板の振動の中心を基にして、圧電振動板の外周が偏心していることを特徴とする。
【００１０】
請求項５記載の圧電スピーカは、圧電振動板の外周が、複数の真円円弧により形成されていることを特徴とする。
【００１１】
請求項６記載の圧電スピーカは、圧電振動板の外周が、少なくとも１つの偏心円弧により形成されていることを特徴とする。
【００１２】
請求項７記載の圧電スピーカは、圧電振動板の外周が、少なくとも１つの真円円弧と、少なくとも１つの偏心円弧とにより形成されていることを特徴とする。
【００１３】
請求項８記載の圧電スピーカは、圧電振動板の外周が、少なくとも１つの多角形により形成されていることを特徴とする。
【００１４】
請求項９記載の圧電スピーカは、圧電振動板の外周が、少なくとも１つの真円円弧と、少なくとも１つの多角形とにより形成されていることを特徴とする。
【００１５】
請求項１０記載の圧電スピーカは、圧電振動板の外周が、少なくとも１つの偏心円弧と、少なくとも１つの多角形とにより形成されていることを特徴とする。
【００１６】
請求項１１記載の圧電スピーカは、圧電振動板の外周が、径が徐々に増加し最長径端と最短径端とが所定の俯角を有する偏心円弧と、最長径端と最短径端とを連結する補助可動領域とにより形成されていることを特徴とする。
【００１７】
請求項１２記載の圧電スピーカは、圧電体の振動の中心と前記圧電振動板の中心とが、離間していることを特徴とする。
【００１８】
請求項１３記載の圧電スピーカは、圧電振動板の分割された外周片ごとに設けられた支持板を備え、支持板を介して圧電振動板を筐体に保持することを特徴とする。
【００２０】
請求項１４記載の圧電スピーカは、圧電体と圧電振動板との間に、振動伝搬性及び所定の剛性を有し圧電体と略同形状の補強板を備えることを特徴とする。
【００２１】
請求項１５記載の圧電スピーカは、補強板が、圧電体の振動の中心付近から外周にまで伸びる分割溝を備えることを特徴とする。
【００２２】
【発明の実施の形態】
以下、本発明の形態について図面を参照しながら具体的に説明する。図１は本発明に係る圧電スピーカの例を示す正面図及び断面図である。図２は他の圧電スピーカの例を示す正面図、図３はさらに他の圧電スピーカの例を示す正面図である。図４は多角形状の圧電スピーカの例を示す正面図である。図５は、径は徐々に増加する偏心円弧を有する圧電スピーカの例を示す正面図である。図６は、径は徐々に増加する偏心円弧を有する圧電スピーカの他の例を示す正面図である。図７は、図６の圧電スピーカの音圧特性を示すグラフである。図８は、図６の圧電スピーカの取り付け方法を示す正面図である。
【００２３】
図１〜図８において、圧電スピーカ１は、一般家庭の居室でＣＤプレーヤやＭＤプレーヤ等の音響再生装置に接続し、音を発生させるためのスピーカである。圧電スピーカ１は、図１（ａ）及び図（ｂ）に示すように、圧電体５及び圧電振動板１０とにより構成されている。圧電体５は、印加された電気信号により機械的な歪みを生じる圧電性磁器を円盤状に成形したものである。圧電振動板１０は金属製の円盤で、圧電体５よりも面積が大きく形成されている。また、圧電振動板１０には、外周から中心方向に分割溝１０ａが切り込まれている。尚、圧電体５及び圧電振動板１０のいずれも真円形状であることから、いずれの振動の中心も、それぞれの外形上の円の中心と同一に形成されている。そして、圧電振動板１０の中心に圧電体５が貼付され、圧電振動板１０が圧電体５の機械的な歪みを音響振動に変換している。尚、圧電振動板１０の材質は、例えば、金属系では鉄、銅、黄銅、ステンレス鋼（ＳＵＳ材）、チタン等、炭素系ではカーボングラファイト等、樹脂系ではポリイミド樹脂等であり、その他、これらの材質の表面にボロン等を蒸着した複合材料であってもよく、音響振動を伝搬可能な材質であればよい。
【００２４】
図１（ａ）に示す圧電スピーカ１は、圧電振動板１０が圧電体５の振動の中心から外周にまで伸びる分割溝１０ａを備えていることから、圧電振動板１０が振動した時に歪みが分割溝１０ａに吸収されて歪みが生じにくいと共に、圧電体５の中心から効率的に振動が圧電振動板１０の外周方向に伝えられるため、広帯域で均一な音圧を確保することが可能である。
【００２５】
尚、圧電体５は圧電性磁器に限られるものではなく圧電性を有する素材であればよく、例えば、圧電性高分子膜や圧電性複合物等であってもよい。また、圧電体５及び圧電振動板１０の形状は、円形に限られるものではなく、他の形状に関しては以後説明する。尚、以後の説明において、圧電体及び圧電振動板の基本的な機能及び材質は、圧電体５及び圧電振動板１０と同様である。
【００２６】
図１（ｃ）に示す圧電振動板１１は、円盤状の圧電振動板を中心から放射状に８等分して、圧電体５を介して円盤状に張り合わせたものである。このため、圧電振動板１１同士の間には、隙間１１ａが形成されている。この図１（ｃ）に示す圧電スピーカ１ａは、圧電振動板１１が圧電体５の振動の中心から外周に向かって放射状に分割されていることから、圧電振動板１１が振動した時に歪みが隙間１１ａに吸収されて歪みが生じにくいと共に、圧電体５の中心から効率的に振動が圧電振動板１１の外周方向に伝えられるため、広帯域で均一な音圧を確保することが可能であると共に、大音響の信号の再生が容易である。
【００２７】
図１（ｄ）に示す圧電スピーカ１ｂは、図１（ａ）の圧電スピーカ１と同様な構成を有し、分割溝１２ａが直線的ではなく、曲線状に形成されている。また、図１（ｅ）に示す圧電スピーカ１ｅは、図１（ａ）の圧電スピーカ１と同様な構成を有し、分割溝１３ａが直線的ではなく、圧電振動板１３の中心方向から外周に向けて放射状で且つ放物線状に形成されている。図１（ｄ）及び（ｅ）のいずれの圧電スピーカ１ｂ，１ｃにおいても、（ａ）の圧電スピーカ１と同様な効果を得ることが可能である。
【００２８】
図１（ｆ）に示す圧電スピーカ１ｄは、圧電振動板１４を任意形状に分割し、分割されたそれぞれを圧電体５でつなぎ留めた構造となっている。分割されたそれぞれの圧電振動板１４の間には隙間１４ａが存在している。圧電振動板１４が任意形状に分割されていることから、圧電振動板１４が振動した時に歪みが生じにくく、広帯域で均一な音圧を確保することが可能であると共に、大音響の信号の再生が容易である。
【００２９】
図２に示す４つの圧電スピーカ２ａ〜２ｄは、圧電体６及び圧電振動板１５〜１８の外形形状が楕円（外周が偏心している形状）である場合の例を示している。図２（ａ）の圧電スピーカ２ａの圧電体６は、楕円形状をしている。圧電振動板１５も楕円形状をしており、圧電体６の中心が圧電振動板１５の中心から長軸上右方向に僅かにずれた位置にくるように、圧電体６が圧電振動板１５に貼付されている。また、圧電振動板１５には、圧電体６の外周付近から外周に向かって複数の分割溝１５ａが設けられている。この分割溝１５ａは、圧電体６の中心（振動の中心でもある）から、放射状に圧電振動板１５の外周に向かって伸びている。
【００３０】
図２（ｂ）の圧電スピーカ２ｂの圧電振動板１６も楕円形状をしており、圧電体６の中心が圧電振動板１６の中心から短軸上左方向に僅かにずれた位置にくるように、圧電体６が圧電振動板１６に貼付されている。また、圧電振動板１６には、圧電体６の外周付近から外周に向かって複数の分割溝１６ａが設けられている。この分割溝１６ａは、圧電体６の中心（振動の中心でもある）から、放射状に圧電振動板１６の外周に向かって伸びている。
【００３１】
図２（ｃ）の圧電スピーカ２ｃは、（ａ）の圧電スピーカ２ａと同一の構造をしており、分割溝１７ａが曲線状である。また、図２（ｄ）の圧電スピーカ２ｄは、（ｂ）の圧電スピーカ２ｂと同一の構造をしており、分割溝１８ａが曲線状である。図２に示す圧電スピーカ２ａ〜２ｄは、圧電振動板１５〜１８の振動の中心を基にして、圧電振動板１５〜１８の外周が偏心していることから、圧電振動板１５〜１８の振動の中心から外周までの長さが均一ではなく、共振点の数を多く持たせることができることから、特定の周波数において音圧が著しく増大したり低下することなく広帯域で均一な音圧を確保することが可能である。
【００３２】
図３に示す６つの圧電スピーカ３ａ〜３ｆは、圧電体５，７，８は、真円であるものの、圧電振動板の外周が湾曲している場合の例を示している。図３（ａ）の圧電スピーカ３ａの圧電振動板２１は、半円状の片の角部が中心から外側に向くように風車状に形成したもので、複数の真円円弧と直線とで外周が形成されている。図３（ｂ）の圧電スピーカ３ｂの圧電振動板２２ａ〜２２ｄは、半径の異なる円盤の４分の１を隣同士つなぎ合わせたもので、つなぎ目は曲線状となっている。図３（ｃ）の圧電スピーカ３ｃの圧電振動板２３は、楕円形の片をＸ字状に頂点で連結して花弁状に形成したものである。図３（ｄ）の圧電スピーカ３ｄの圧電振動板２４ａ〜２４ｅは、楕円形の片をＸ字状に頂点で連結して花弁状に形成したもので、それぞれの楕円の長軸・短軸の長さが異なっている。尚、（ｃ）、（ｄ）において、いずれかの片が真円円弧であってもかまわない。
【００３３】
図３（ｅ）の圧電スピーカ３ｅの圧電振動板２５は、円盤を中心をずらして４分の１とし、一番面積の大きな片を４枚張り合わせたような形状である。すなわち、半径が同一な真円円弧が４つ連結されて外周が形成されている。尚、それぞれ円弧を連結する部分には、曲線状の分割溝２５ａが設けられている。図３（ｆ）の圧電スピーカ３ｆの圧電振動板２６は、２つの楕円を長軸を重ねて張り合わせたような形状をしている。
【００３４】
図３のいずれの圧電スピーカ３ａ〜３ｆも圧電振動板の振動の中心から外周までの長さが均一ではなく、共振点の数を多く持たせることができることから、特定の周波数において音圧が著しく増大したり低下することなく広帯域で均一な音圧を確保することが可能である。
【００３５】
図４の圧電スピーカ２０は、圧電体９と圧電振動板２７とがいずれも多角形に形成されている場合の例を示してる。この例では、正八角形であるがこれに限られるものではなく、外周が他の角数の多角形形状であってもよく、また、多角形形状と円弧（真円円弧や偏心した円弧）との組み合わせであってもよい。この圧電スピーカ２０でも、圧電振動板の振動の中心から外周までの長さが均一ではなく、共振点の数を多く持たせることができることから、特定の周波数において音圧が著しく増大したり低下することなく広帯域で均一な音圧を確保することが可能である。
【００３６】
図５に示す圧電スピーカ３０ａは、外周が径が徐々に増加し最長径端３１ｍと最短径端３１ｎとが所定の俯角を有する偏心円弧を形成する圧電振動板３１ａ〜３１ｉと、最長径端３１ｍと最短径端３１ｎとを連結する補助可動領域を形成する圧電振動板３１ｊとにより形成されている。具体的には、圧電振動板３１ａの半径がもっとも短く、圧電振動板３１ｉに向かってその半径が徐々に長くなっている。それぞれの圧電振動板３１ａ〜３１ｊは、放射状に分割されており、圧電体３５により円盤状に連結されている。
【００３７】
尚、圧電振動板３１ａと圧電振動板３１ｉとでは半径が大きく異なることから、これらの中間に、外周を滑らかに連結する補助可動領域が無いと、振動時に不必要な振動が発生したり歪みが生じてしまう。図５に示す圧電スピーカ３０ａでは、補助可動領域である圧電振動板３１ｊの外周が直線で形成されており、図６に示す圧電スピーカ３０ｂでは、補助可動領域である圧電振動板３２ｊの外周が曲線で形成されている。
【００３８】
圧電スピーカ３０ａ，３０ｂは、圧電振動板３１ａ〜３１ｊ，３２ａ〜３２ｊの外周の径が徐々に増加し最長径端３１ｍ，３２ｍと最短径端３１ｎ，３２ｎとが所定の俯角を有する偏心円弧とにより形成されていることから、圧電振動板３１ａ〜３１ｊ，３２ａ〜３２ｊの振動の中心から外周までの長さが均一ではなく、共振点の数を多く持たせることができることから、特定の周波数において音圧が著しく増大したり低下することなく広帯域で均一な音圧を確保することが可能である。また、最長径端と最短径端とを連結する補助可動領域である圧電振動板３１ｊ，３２ｊを備えることで、最長径端と最短径端との間の急激な径の変化を抑え、広帯域で均一な音圧を確保することが可能である。
【００３９】
図７に示すグラフは、図６に示す圧電スピーカ３０ｂを駆動させて発音させた場合の音圧を示すグラフである。具体的な圧電スピーカ３０ｂの仕様は、圧電体３６が直径約５０ｍｍ、厚み約０．１８ｍｍの圧電セラミックであり、圧電振動板３２ａ〜３２ｊが厚み約０．１ｍｍのＳＵＳ製で最長径端３２ｍが圧電体３６の中心から約６０ｍｍ、最短径端３２ｎが圧電体３６の中心から約３０ｍｍである。図７に示すように、従来に無い大きさの圧電スピーカ３０ｂであっても、圧電振動板３２ａ〜３２ｉの外周が、径が徐々に増加し最長径端３２ｍと最短径端３２ｎとが所定の俯角を有する偏心円弧と、最長径端３２ｍと最短径端３２ｎとを連結する補助可動領域とにより形成され、且つ圧電振動板が分割されている場合には、圧電振動板の振動の中心から外周までの長さが均一ではなく、共振点の数を多く持たせることができることから、特定の周波数において音圧が著しく増大したり低下することなく広帯域で均一な音圧を確保することが可能である。
【００４０】
図８は、図６に示す圧電スピーカ３０ｂの取り付け方法を示す図面である。分割されたそれぞれの圧電振動板３２ａ〜３２ｊの片ごとに振動伝搬性を有する支持板３３ａ〜３３ｊが貼付されている。そして、各支持板３３ａ〜３３ｊが、それぞれの圧電振動板３２ａ〜３２ｊを圧電スピーカ３０ｂを固定する筐体等に連結・保持させる。尚、支持板３３ａ〜３３ｊには、チタン、カーボングラファイト、ベリリウム等の高弾性・伝搬速度の高い材料を用いる。支持板３３ａ〜３３ｊを介して圧電振動板３２ａ〜３２ｊを筐体に保持することから、各圧電振動板３２ａ〜３２ｊの片毎に独立して振動を効率的に筐体に伝達でき、広帯域で均一な音圧を確保することが可能である。
【００４１】
また、図１〜図８に示すように、１枚の圧電振動板を分割した場合の他、例えば、図６の圧電スピーカ３０ｂにおいて、それぞれの圧電振動板３２ａ〜３２ｊに弾性率の異なる材料を選択してもよい。ここで、弾性率とは、縦弾性係数（ヤング率）であり、弾性率が大きいほど伝搬可能な周波数（共振点）が高い。もちろん、弾性率が同一の材料を用いて圧電振動板３２ａ〜３２ｊを構成した圧電スピーカ３０ｂでも、前述のように十分広帯域で均一な音圧を確保することが可能である。しかしながら、さらに音圧を均一にすべく、調整したい周波数の再生に関与する径を有する圧電振動板３２ａ〜３２ｊを、他の圧電振動板３２ａ〜３２ｊと異なる弾性率の材料を用いたものに換える。このことにより、圧電振動板３２ａ〜３２ｊの共振点が変わり、音圧のさらなる微調整が可能となる。この場合の弾性率は、音圧の起伏にあわせて適宜選択されるもので、大小いずれであってもよい。このように、分割された複数の圧電振動板のそれぞれの弾性率を異なる構成にすることにより、特定の周波数での音圧の落ち込みや突出を調整し、より一層容易に広帯域で均一な音圧を確保することが可能である。
【００４２】
また、圧電体は非常に薄い圧電性磁器であることから、強大な振動が生じる信号が印加された場合、圧電振動板の分割溝部分に歪みを生じて圧電体に亀裂を生じる場合がある。このような場合には、図９に示すように、補強板３９を設けることにより、圧電体の強度を補って圧電振動板の分割部分での亀裂を防止し、継続的に広帯域で均一な音圧を確保することができる。
【００４３】
具体的には、図９に示すように、圧電体３７と圧電振動板３８ａ〜３８ｆとの間に、圧電体３７と略同形状の補強板３９を張り合わせるようにする。補強板３９は、音響の振動伝搬性を有すると共に、振動による圧電体３７の亀裂を防止するに必要な剛性を有する材料で形成する。圧電振動板３８ａ〜３８ｆと同様に金属板であってもよし、振動伝搬性及び圧電体３７の亀裂を防止するに必要な剛性を有していれば合成樹脂や炭素系素材であってもよい。補強板３９の形状は、圧電体３７と略同形状が好ましいが、圧電体３７よりも大きくなることは構わない。また、圧電振動板３８ａ〜３８ｆの分割溝３８ｇに沿って、圧電体３７の振動の中心付近から外周にまで伸びる分割溝３９ａを備えることにより、補強板３９による振動伝搬のロスを抑え、広帯域で均一な音圧を確保することができる。
【００４４】
【発明の効果】
請求項１の発明によれば、圧電振動板が任意形状に分割されていることから、圧電振動板が振動した時に歪みが生じにくく、広帯域で均一な音圧を確保することが可能であると共に、大音響の信号の再生が容易である。さらに、分割された複数の圧電振動板のそれぞれの弾性率を異なる構成にすることにより、特定の周波数での音圧の落ち込みや突出を調整し、より一層容易に広帯域で均一な音圧を確保することが可能である。
【００４５】
請求項２の発明によれば、圧電振動板が圧電体の振動の中心付近から外周に向かって放射状に分割されていることから、圧電振動板が振動した時に歪みが生じにくいと共に、圧電体の中心から効率的に振動が圧電振動板の外周方向に伝えられるため、より一層容易に広帯域で均一な音圧を確保することが可能であると共に、大音響の信号の再生が容易である。
【００４６】
請求項３の発明によれば、圧電振動板が圧電体の振動の中心付近から外周にまで伸びる分割溝を備えていることから、圧電振動板が振動した時に歪みが生じにくいと共に、圧電体の中心から効率的に振動が圧電振動板の外周方向に伝えられるため、広帯域で均一な音圧を確保することが可能であると共に、大音響の信号の再生が容易である。さらに、圧電振動板の弾性率が異なる構成にすることにより、特定の周波数での音圧の落ち込みや突出を調整し、より一層容易に広帯域で均一な音圧を確保することが可能である。
【００４７】
請求項４の発明によれば、圧電振動板の振動の中心を基にして、圧電振動板の外周が偏心していることから、圧電振動板の振動の中心から外周までの長さが均一ではなく、共振点の数を多く持たせることができることから、特定の周波数において音圧が著しく増大したり低下することなく広帯域で均一な音圧を確保することが可能である。
【００４８】
請求項５の発明によれば、圧電振動板の外周が複数の真円円弧により形成されていることから、圧電振動板の振動の中心から外周までの長さが均一ではなく、共振点の数を多く持たせることができることから、特定の周波数において音圧が著しく増大したり低下することなく広帯域で均一な音圧を確保することが可能である。
【００４９】
請求項６の発明によれば、圧電振動板の外周が少なくとも１つの偏心円弧により形成されていることから、圧電振動板の振動の中心から外周までの長さが均一ではなく、共振点の数を多く持たせることができることから、特定の周波数において音圧が著しく増大したり低下することなく広帯域で均一な音圧を確保することが可能である。
【００５０】
請求項７の発明によれば、圧電振動板の外周が、少なくとも１つの真円円弧と、少なくとも１つの偏心円弧とにより形成されていることから、圧電振動板の振動の中心から外周までの長さが均一ではなく、共振点の数を多く持たせることができることから、特定の周波数において音圧が著しく増大したり低下することなく広帯域で均一な音圧を確保することが可能である。
【００５１】
請求項８の発明によれば、圧電振動板の外周が少なくとも１つの多角形により形成されていることから、圧電振動板の振動の中心から外周までの長さが均一ではなく、共振点の数を多く持たせることができることから、特定の周波数において音圧が著しく増大したり低下することなく広帯域で均一な音圧を確保することが可能である。
【００５２】
請求項９の発明によれば、圧電振動板の外周が、少なくとも１つの真円円弧と、少なくとも１つの多角形とにより形成されていることから、圧電振動板の振動の中心から外周までの長さが均一ではなく、共振点の数を多く持たせることができることから、特定の周波数において音圧が著しく増大したり低下することなく広帯域で均一な音圧を確保することが可能である。
【００５３】
請求項１０の発明によれば、圧電振動板の外周が、少なくとも１つの偏心円弧と、少なくとも１つの多角形とにより形成されていることから、圧電振動板の振動の中心から外周までの長さが均一ではなく、共振点の数を多く持たせることができることから、特定の周波数において音圧が著しく増大したり低下することなく広帯域で均一な音圧を確保することが可能である。
【００５４】
請求項１１の発明によれば、圧電振動板の外周が、径が徐々に増加し最長径端と最短径端とが所定の俯角を有する偏心円弧とにより形成されていることから、圧電振動板の振動の中心から外周までの長さが均一ではなく、共振点の数を多く持たせることができることから、特定の周波数において音圧が著しく増大したり低下することなく広帯域で均一な音圧を確保することが可能である。
また、最長径端と最短径端とを連結する補助可動領域を備えることで、最長径端と最短径端との間の急激な径の変化を抑え、より一層容易に広帯域で均一な音圧を確保することが可能である。
【００５５】
請求項１２の発明によれば、圧電体の振動の中心と圧電振動板の中心とが離間していることから、圧電振動板の振動の中心から外周までの長さが均一ではなく、共振点の数を多く持たせることができることから、特定の周波数において音圧が著しく増大したり低下することなく広帯域で均一な音圧を確保することが可能である。
【００５６】
請求項１３の発明によれば、圧電振動板の分割された外周片ごとに設けられた支持板を介して圧電振動板を筐体に保持することから、各外周片毎に独立して振動を効率的に筐体に伝達でき、より一層容易に広帯域で均一な音圧を確保することが可能である。
【００５８】
請求項１４の発明によれば、圧電体と圧電振動板との間に、振動伝搬性及び所定の剛性を有し圧電体と略同形状の補強板を備えることにより、圧電体の強度を補って圧電振動板の分割部分での亀裂を防止し、継続的に広帯域で均一な音圧を確保することができる。
【００５９】
請求項１５の発明によれば、補強板が圧電体の振動の中心付近から外周にまで伸びる分割溝を備えることにより、補強板による振動伝搬のロスを抑え、広帯域で均一な音圧を確保することができる。
【図面の簡単な説明】
【図１】本発明に係る圧電スピーカの例を示す正面図及び断面図である。
【図２】他の圧電スピーカの例を示す正面図である。
【図３】さらに他の圧電スピーカの例を示す正面図である。
【図４】多角形状の圧電スピーカの例を示す正面図である。
【図５】径は徐々に増加する偏心円弧を有する圧電スピーカの例を示す正面図である。
【図６】径は徐々に増加する偏心円弧を有する圧電スピーカの他の例を示す正面図である。
【図７】図６の圧電スピーカの音圧特性を示すグラフである。
【図８】図６の圧電スピーカの取り付け方法を示す正面図である。
【図９】（ａ）は、補強板を備える圧電スピーカの組立図である。
（ｂ）は、補強板を備える圧電スピーカの縦断面図である。
【図１０】従来の圧電スピーカを示す正面図及び断面図である。
【符号の説明】
１・・・・・・・・・・・・・圧電スピーカ
５〜９・・・・・・・・・・・圧電体
１０〜１８・・・・・・・・・圧電振動板
１０ａ，１２ａ・・・・・・・分割溝
１１ａ，１４ａ・・・・・・・隙間
１３ａ，１５ａ〜１８ａ・・・分割溝
２１，２２ａ〜２２ｄ・・・・圧電振動板
２３，２４ａ〜２４ｅ・・・・圧電振動板
２５〜２７・・・・・・・・・圧電振動板
２５ａ，２７ａ・・・・・・・分割溝
３０ａ〜３０ｉ・・・・・・・圧電振動板
３１ａ〜３１ｉ・・・・・・・圧電振動板
３２ａ〜３２ｉ・・・・・・・支持板
３６・・・・・・・・・・・・圧電体
３７・・・・・・・・・・・・圧電体
３８ａ〜３８ｆ・・・・・・・圧電振動板
３９・・・・・・・・・・・・補強板
【図１】
0003799001.tif 000002
【図２】
0003799001.tif 000003
【図３】
0003799001.tif 000004
【図４】
0003799001.tif 000005
【図５】
0003799001.tif 000006
【図６】
0003799001.tif 000007
【図７】
0003799001.tif 000008
【図８】
0003799001.tif 000009
【図９】
0003799001.tif 000010
【図１０】
0003799001.tif 000011